(57)【要約】【課題】地震による揺れによってフィルター同士の接触やケーシングへの接触でフィルターが破損することを防止するとともに、含塵空気室内での塵埃によるブリッジ化や、フィルターが部品との接触摩擦によって破損することを防止すること。【解決手段】セラミックフィルター７を用いた濾過式集塵機１において、濾過式集塵機１を設置する台座４と集塵機用架台３との間に免震ユニット５を配備する。【選択図】図１
2005205286.tif 000002
【特許請求の範囲】
【請求項１】
セラミックフィルターを用いた濾過式集塵機において、濾過式集塵機を設置する台座と集塵機用架台との間に免震ユニットを配備したことを特徴とする濾過式集塵機。
【請求項２】
セラミックフィルターを用いた濾過式集塵機において、濾過式集塵機本体と集塵機用架台との間に免震ユニットを配備したことを特徴とする濾過式集塵機。
【発明の詳細な説明】
【技術分野】
【０００１】
本発明は、集塵機に関し、特に集塵機内に取り付けられているセラミックフィルターが地震によってフィルター同士の接触やケーシングへの接触で破損することを防止するようにした集塵機に関するものである。
ここでセラミックフィルターとは、無機繊維質多孔体の成形品及び無機粒状多孔体焼結品などからなる濾布で、陶器のように強い衝撃を受けた場合に破損するおそれのある材料で作られた濾布の総称をいう。
【背景技術】
【０００２】
従来、濾過式集塵機のフィルターのうちセラミックフィルターは地震の揺れによる破損を防止するため、濾布の下部をスペーサーによってその間隔を固定する方法が採用されている。
【０００３】
ところで、上記濾過式集塵機５０は図４に示す如く、集塵機本体５１内に多数のフィルター５３を吊下した仕切板５２によって含塵空気室５９と清浄空気室６０に区分けし、清浄空気室６０に開口した清浄空気排出口５５に繋がる吸引ファンＦによって塵埃等を含む処理ガスを処理ガス供給口５４から含塵空気室５９に導き、フィルター５３によって濾過された後に清浄空気室６０、清浄空気排出口５５を介し外気に放出されるものである。
【０００４】
５８は逆洗装置を示し、清浄空気室６０と含塵空気室５９との差圧が一定以上値になったとき、フィルター５３に付着した塵埃等を除去するために設けられたもので、圧力空気供給管５８ｄから送られる圧縮空気を電磁開閉器５８ｃの開閉によってベンチュリ管５８ｂを介し、噴出ノズル５８ａからフィルター５３内面に向かって吹き付け、フィルター５３に付着した塵埃等を除去し、一定量の溜まった塵埃等は集塵機本体５１下方に備えたロータリーバルブ５７の開閉によって外部に排出する。
【０００５】
このセラミックフィルター５３を使用した濾過式集塵機５０の場合、地震の揺れによってフィルター同士の接触や集塵機本体５１内壁への接触によって最悪の場合には破損や折損がおこるため、フィルター５３下方にスペーサー取り付けリング６１ａを配備しフィルター５３同士の間隔及びフィルター５３と集塵機本体５１内壁との間隔を一定に保つようにしている（例えば、特許文献１参照。）。
【０００６】
しかし、この集塵機では、フィルター間をスペーサーで拘束する場合、当該スペーサーの存在によって集塵機本体内を浮遊する塵埃やクリーニングの操作によってフィルターから剥離し落下する塵埃などがブリッジ化し、除塵動作時の含塵空気の流動が阻害される不都合があるとともに、地震の揺れによりスペーサー取り付けリングとセラミックフィルターの間で接触摩耗が発生しフィルターの破損に繋がるという問題があった。
【特許文献１】実開平０２−８５１９号公報
【発明の開示】
【発明が解決しようとする課題】
【０００７】
本発明は、上記従来のセラミックフィルターを用いた濾過式集塵機の有する問題点に鑑み、地震による揺れによってフィルター同士の接触やケーシングへの接触でフィルターが破損することを防止するとともに、含塵空気室内での塵埃によるブリッジ化や、フィルターが部品との接触摩擦によって破損することを防止することのできる濾過式集塵機を提供することを目的とする。
【課題を解決するための手段】
【０００８】
上記目的を達成するため、本発明の濾過式集塵機は、セラミックフィルターを用いた濾過式集塵機において、濾過式集塵機を設置する台座と集塵機用架台との間に免震ユニットを配備したことを特徴とする。
【０００９】
また、第２の発明は、セラミックフィルターを用いた濾過式集塵機において、濾過式集塵機本体と集塵機用架台との間に免震ユニットを配備したことを特徴とする。
【発明の効果】
【００１０】
本発明の濾過式集塵機によれば、塵埃を収容する含塵空気室内に何等の部品も配備することがないからフィルター間をスペーサーで拘束することによって生じる上記不具合の発生がなく、地震による揺れを免震ユニットによって確実に吸収し、セラミックフィルターの破損や折損を確実に防止することができる。
【発明を実施するための最良の形態】
【００１１】
以下、本発明の濾過式集塵機の実施の形態を、図面に基づいて説明する。
【実施例１】
【００１２】
図１に本発明の濾過式集塵機の第１実施例を示す。
この濾過式集塵機１は、集塵機本体２と該集塵機本体２を載置する集塵機用架台３からなり、集塵機用架台３は床面（地面）に固定した台座４上に固定するもので、図３に示す如く集塵機用架台３を台座４上に固定した後に、クレーン等によって吊り下げた集塵機本体２の載置部材２ａを集塵機用架台３上面に設けた支持台３ａ上に載置、固定するものである。
【００１３】
集塵機本体２は、従来例と同様内部に多数のセラミックフィルター７を吊下した仕切板６によって含塵空気室９と清浄空気室１０に区分けし、清浄空気室１０に開口した清浄空気排出口１２に繋がる吸引ファン（図示しない）によって塵埃等を含む処理ガスを処理ガス供給口１１から含塵空気室９に導き、セラミックフィルター７によって濾過された後に清浄空気室１０、清浄空気排出口１２を介し外気に放出されるものである。
【００１４】
逆洗装置８も従来例と同様の機能を果たすものでその説明を省略する。
【００１５】
本発明の濾過式集塵機の第１実施例では、集塵機用架台３の立脚３ｃ下部に配備した受面３ｂと床面（地面）に固定した台座４との間に免震ユニット５を配備するもので、該免震ユニット５を立脚３ｃ並びに台座４の数に合わせた数（通常は４個）だけ配備する。
【００１６】
免震ユニット５は、集塵機本体２と集塵機用架台３の固有周期を長くし、地震の強く短い周期での共振をさけ、激しい地震動を免れる働きをするもので、内部鋼板とゴムからなる天然積層ゴムを被膜ゴムで覆っただけの構造のものから、該天然積層ゴムの上面と下面に摺動材（オイルレス滑り材）を配備するとともに、受面３ｂと台座４に摺動面となるベースプレートを取り付ける構造のものであっても良い。
【００１７】
上記構成において、地震による揺れが発生したときは受面３ｂと台座４との間に配備した免震ユニット５によってその揺れを吸収しセラミックフィルター７同士、又はセラミックフィルター７と集塵機本体２の内面とが接触することを防止する。
【実施例２】
【００１８】
図２に本発明の濾過式集塵機の第２実施例を示す。
【００１９】
この濾過式集塵機１は、集塵機本体２と該集塵機本体２を載置する集塵機用架台３からなり、集塵機用架台３は床面（地面）に固定した台座４上に固定する点は第１実施例と同様であり、免震ユニット５を配備する場所が集塵機本体２と該集塵機本体２を載置する集塵機用架台３との間としている点で相違するのみである。
【００２０】
これにより既設の集塵装置を改造する場合には集塵機本体２をクレーン等によって吊るだけで改造工事を行うことができる等の利点がある。
【００２１】
以上、本発明の濾過式集塵機について、複数の実施例に基づいて説明したが、本発明は上記実施例に記載した構成に限定されるものではなく、各実施例に記載した構成を適宜組み合わせる等、その趣旨を逸脱しない範囲において適宜その構成を変更することができるものである。
【産業上の利用可能性】
【００２２】
以上、本発明の濾過式集塵機は、濾過式集塵機を設置する床面と集塵機用架台との間又は、濾過式集塵機本体と集塵機用架台との間に免震ユニットを配備することにより地震の揺れをフィルターに伝達させないという特性を有していることから、新設のセラミックフィルターを用いた濾過式集塵機に用いることができるほか、既設のセラミックフィルターを用いた濾過式集塵機の改造の用途にも好適に用いることができる。
【図面の簡単な説明】
【００２３】
【図１】本発明の濾過式集塵機の正面図である。
【図２】本発明の濾過式集塵機の第２実施例を示す正面図である。
【図３】本発明の濾過式集塵機の組立要領を示す正面図である。
【図４】従来の濾過式集塵機の断面面図である。
【符号の説明】
【００２４】
１    濾過式集塵機
２    集塵機本体
３    集塵機用架台
４    台座
５    免震ユニット
７    セラミックフィルター
【図１】
2005205286.tif 000003
【図２】
2005205286.tif 000004
【図３】
2005205286.tif 000005
【図４】
2005205286.tif 000006